(57)【特許請求の範囲】
【請求項１】
クライアント装置に第１のサーバを接続し、該第１のサーバ装置にホスト装置を接続し、該ホスト装置に他の複数のサーバ装置を接続した情報処理システムに於いて、
該第１のサーバ装置は、
前記クライアント装置により他のサーバ装置と前記ホスト装置との間で行う業務処理内容と該業務内容を実行する時刻情報と前記複数のサーバのどのサーバが動作を行うのかを示すサーバ識別情報とが予め予約され登録される情報ファイル、
前記サーバ識別情報に基づき特定される第２のサーバ装置に対して前記ホスト装置を経由して前記情報ファイルを送信する送信手段、
を有し、
前記第２のサーバ装置は、前記ホスト装置から前記情報ファイルの情報を受信する受信手段と、
前記情報ファイルを読み込み、前記時刻情報になると前記業務処理内容を前記ホスト装置との間で実行する実行手段を設けたことを特徴とする情報処理システム。
【請求項２】
前記第２のサーバ装置には更に、自動電源装置が接続されており、
前記実行手段は更に、自動電源装置からの指示により第２のサーバが起動された場合に、前記情報ファイルを読み込み前記ホスト装置との間で前記業務を実行することを特徴とする請求項１に記載の情報処理システム。
【発明の詳細な説明】
【０００１】
【産業上の利用分野】
本発明は、ホスト装置に接続された複数のサーバ装置上でデータ伝送を行う情報処理システムに関する。
ホスト装置に複数のサーバ装置が接続され、各サーバ装置にそれぞれクライアント装置が接続された情報処理システム、またはホスト装置に複数のサーバ装置が接続され、複数のサーバ装置に１つのクライアント装置が接続された情報処理システムにおいて、ホスト装置とサーバ装置間においてデータ転送を実行するときは、オペレータによるオペレーションが必要であった。しかしながら、オペレータによるオペレーションでデータ転送を行う場合にはオペレータが不在になる夜間、休日では業務を実行することができなかった。また、複数のサーバ装置を一括してオペレーションを行うことができなかった。このような不具合を解決することができる情報処理装置の開発が要望されていた。
【０００２】
【従来の技術】
従来のホスト装置に複数のサーバ装置を接続した情報処理装置としては、例えば図１６に示すようなものがある。
図１６において、１はクライアント装置であり、クライアント装置１にはデータベース２ａを有するサーバ装置２が接続され、サーバ装置２にはリモートデータベース３ａを有するホスト装置３が接続されている。
【０００３】
また、ホスト装置３にはデータベース４ａ，５ａを有する複数のサーバ装置４，５が接続されている。
ホスト装置３からサーバ装置２のデータベース２ａに対してデータを転送する場合は、オペレータがクライアント装置１を操作し、サーバ装置２のアプリケーションプログラムを起動することで、データ転送を実行する。また、ホスト装置３からサーバ装置４，５のデータベース４ａ，５ａにデータを転送する場合も、オペレータがクライアント装置１を操作し、サーバ装置２のアプリケーションプログラムを起動し、ホスト装置３に他のサーバ装置４，５へデータ転送指示を与えることで、データ転送を実行する。
【０００４】
次に、図１７は他の従来例を示す図である。
図１７において、６はクライアント装置であり、クライアント装置６にはデータベース７ａ，８ａ，９ａを有する複数のサーバ装置７，８，９がそれぞれ接続され、また、これらのサーバ装置７，８，９はリモートデータベース１０ａを有するホスト装置１０が接続されている。
【０００５】
サーバ装置７，８，９のデータベース７ａ，８ａ，９ａからホスト装置１０のリモートデータベース１０ａにデータを転送する場合は、オペレータはクライアント装置６を操作し、各サーバ装置７，８，９のアプリケーションプログラムを起動して、データ転送を実行する。
【０００６】
【発明が解決しようとする課題】
しかしながら、このような従来の情報処理装置にあっては、図１６の場合でも、また、図１７の場合でもデータ転送を実行する場合には、オペレータによるオペレーションが必要であった。このため、オペレータが不在の夜間や休日には業務を実行することができなかった。また、複数のサーバ装置を一括して管理することができなかった。
【０００７】
本発明は、このような従来の問題点に鑑みてなされたものであって、オペレータによるオペレーションを行うことなく、自動的に業務を実行することで、オペレータが不在の夜間や休日でも業務を実行し、また、複数のサーバ装置を一括管理することでシステム構築、メンテナンスの簡易化を図り、作業効率を向上させることができる情報処理システムを提供することを目的とする。
【０００８】
【課題を解決するための手段】
図１は本発明の原理説明図である。
本発明は、クライアント装置１１にサーバ装置１３を接続し、サーバ装置１３にホスト装置１８を接続した情報処理装置を対象とし、サーバ装置１３に、クライアント装置１１により業務と業務を実行する時刻が登録される情報ファイル１４と、情報ファイル１４を読み込み、指定時刻にホスト装置１８との間で業務を実行する実行手段１３ｂを設けたことを特徴とする。
【０００９】
また、本発明は、クライアント装置１１にサーバ装置１３を接続し、サーバ装置１３にホスト装置１８を接続した情報処理装置を対象とし、サーバ装置１３に、クライアント装置１１により業務と業務を実行する時刻が登録される情報ファイル１４と、自動電源装置１６からの指示により起動されて情報ファイル１４を読み込みホスト装置１８との間で業務を実行する実行手段１３ｂを設けたことを特徴とする。
【００１０】
また、本発明は、クライアント装置１１に第１のサーバ装置１３を接続し、第１のサーバ装置１３にホスト装置１８を接続し、ホスト装置１８に他の複数のサーバ装置２１，２５を接続した情報処理装置を対象とし、第１のサーバ装置１３に、クライアント装置１１により各サーバ装置１３，２１，２５が行う業務と業務を実行する時刻などの情報が予め予約され登録される情報ファイル１４と、ホスト装置１１に情報ファイル１４の情報を送信する送信手段１３ｃと、情報ファイル１４を読み込み指定時間にホスト装置１８との間で自己の業務を実行する実行手段１３ｂを設け、他の複数のサーバ装置２１，２５に、ホスト装置１８から情報ファイル１４の情報を受信する受信手段２１ｃ，２５ｃと、情報ファイル２３，２６を読み込み、指定時刻にホスト装置１８との間で自己の業務を実行する実行手段２１ｂ，２５ｂを設けたことを特徴とする。
【００１１】
また、本発明は、クライアント装置３１に複数のサーバ装置３３，３４，３５を接続し、各サーバ装置３３，３４，３５にホスト装置４５を接続した情報処理装置を対象とし、複数のサーバ装置３３，３４，３５の一つ３３に、クライアント装置３１により各サーバ装置３３，３４，３５が行う業務と業務を実行する時刻などの情報が予め予約され登録される情報ファイル３６と、情報ファイル３６の情報を他のサーバ装置３４，３５に送信する送信手段３３ｃと、情報ファイル３６を読み込み、指定時刻にホスト装置４５との間で自己の業務を実行する実行手段３３ｂを設け、他のサーバ装置３４，３５に、送信されてきた情報ファイル３６の情報を受信する受信手段３４ｃ，３５ｃと、情報ファイル３８，４０を読み込み、指定時刻にホスト装置４５との間で自己の業務を実行する実行手段３４ｂ，３５ｂを設けたことを特徴とする。
【００１２】
【作用】
このような構成を備えた本発明の情報処理装置によれば、クライアント装置１１によりサーバ装置１３の情報ファイル１４に業務と業務を実行する時刻を予め登録し、情報ファイル１４を読み込み、指定時刻にホスト装置１８との間で業務を実行するので、オペレータによるオペレーションなしにデータ転送などの業務を自動的に実行することができる。その結果、オペレータの不在の夜間、休日にも業務を実行することができ、また、人件費を削減することができる。
【００１３】
また、本発明は、クライアント装置１１によりサーバ装置１３の情報ファイル１４に業務と業務を実行する時刻を予め登録し、自動電源装置１６からの指示により起動されて情報ファイル１４を読み込み、ホスト装置１８との間で業務を実行するので、自動電源装置１６より遠隔地からの指示により、オペレータによるオペレーションなしにデータ転送などの業務を自動的に実行することができる。
【００１４】
また、第１のサーバ装置１３に、クライアント装置１１により各サーバ装置１３，２１，２５が行う業務と業務を実行する時刻などの情報が予め予約され登録される情報ファイル１４と、ホスト装置１１に情報ファイル１４の情報を送信する送信手段１３ｃと、情報ファイル１４を読み込み指定時間にホスト装置１８との間で自己の業務を実行する実行手段１３ｂを設け、他の複数のサーバ装置２１，２５に、ホスト装置１８から情報ファイル１４の情報を受信する受信手段２１ｃ，２５ｃと、情報ファイル２３，２６を読み込み、指定時刻にホスト装置１８との間で自己の業務を実行する実行手段２１ｂ，２５ｂを設けたので、オペレータによるオペレーションを行うことなく、データ転送などの業務を自動的に実行することができ、また、複数のサーバ装置１３，２１，２５の一括管理によりシステム構築、メンテナンスの簡易化を図ることができ、作業効率を向上させることができる。
【００１５】
さらに、複数のサーバ装置３３，３４，３５の一つ３３に、クライアント装置３１により各サーバ装置３３，３４，３５が行う業務と業務を実行する時刻などの情報が予め予約され登録される情報ファイル３６と、情報ファイル３６の情報を他のサーバ装置３４，３５に送信する送信手段３３ｃと、情報ファイル３６を読み込み、指定時刻にホスト装置４５との間で自己の業務を実行する実行手段３３ｂを設け、他のサーバ装置３４，３５に、送信されてきた情報ファイル３６の情報を受信する受信手段３４ｃ，３５ｃと、情報ファイル３８，４０を読み込み、指定時刻にホスト装置４５との間で自己の業務を実行する実行手段３４ｂ，３５ｂを設けたので、オペレータによるオペレーションを行うことなく、データ転送などの業務を自動的に実行することができ、また、複数のサーバ装置３３，３４，３５の一括管理によりシステム構築、メンテナンスの簡易化を図ることができ、作業効率を向上させることができる。
【００１６】
【実施例】
図２は本発明の一実施例を示す全体構成図である。
図２において、１１はクライアント装置であり、クライアント装置１１には信号線１２を介してサーバ装置（第１のサーバ装置）１３が接続されている。サーバ装置１３は、内部に情報ファイル１４を有し、外部にはデータベース１５と自動電源装置１６がそれぞれ接続されている。自動電源装置１６には図示しないクライアント装置が接続されており、自動電源装置１６は、クライアント装置により遠隔地から操作される。サーバ装置１３には信号線１７を介してホスト装置１８が接続されている。ホスト装置１８は内部に情報ファイル１９を有し、外部にリモートデータベース２０が接続されている。
【００１７】
また、ホスト装置１８には他のサーバ装置２１が信号線２２を介して接続されている。サーバ装置２１は内部に情報ファイル２３を有し、外部にデータベース２４が接続されている。また、ホスト装置１８にはさらに他のサーバ装置２５が信号線２６を介して接続されている。サーバ装置２５は内部に情報ファイル２６を有し、外部にデータベース２７が接続されている。
【００１８】
サーバ装置１３の情報ファイル１４には、クライアント装置１１から業務とこの業務を実行する時刻と実行サーバ装置名からなる情報が予め予約され、登録される。この登録された情報の内容例を図３に示す。図３の情報ファイル１４には時刻１７：００にＡ支店売上データをホスト装置１８からサーバ装置１３が受信するという情報が予め予約、登録される。
【００１９】
また、自動電源装置１６からの電源供給でサーバ装置１３を起動し、ホスト装置１８からサーバ装置１３にデータを転送する場合は、時刻とこの時刻に実行する業務と業務実行サーバ装置名からなる情報がクライアント装置１１によりサーバ装置１３の情報ファイル１４に予め予約され、登録される。
この登録された情報の内容例を図４に示す。図４の情報ファイル１４には時刻８：００にホスト装置１８からＡ支店売上データをサーバ装置１３が受信するという情報が予め予約、登録されている。
【００２０】
また、クライアント装置１１からサーバ装置１４だけではなく、その他のサーバ装置２１，２５に対してもデータ転送を行うときは、時刻と業務と業務実行サーバ装置名が情報ファイル１４に予め予約され、登録される。
この登録された情報の内容例を図５に示す。図５の情報ファイル１４には時刻１７：００にＡ支店売上データをホスト装置１８からサーバ装置１４で受信すること、また、時刻１７：００にＢ支店売上データをホスト装置１８からサーバ装置２１で受信すること、また、時刻１７：００にＣ支店売上データをホスト装置１８からサーバ装置２５で受信することをそれぞれ示す情報が予め予約、登録されている。
【００２１】
サーバ装置１３は、図６に示すように、アプリケーションプログラム１３ａを有し、アプリケーションプログラム１３ａ内には実行手段としての実行部１３ｂが設けられている。また、サーバ装置１３には情報ファイル１４内に予約、登録された情報をホスト装置１８経由で他のサーバ装置２１，２５に送信する送信手段としての送信部１３ｃが設けられている。
【００２２】
アプリケーションプログラム１３ａの実行部１３ｂは情報ファイル１４に情報が登録されると、自動的に起動し、例えば図３に示すような情報が情報ファイル１４内に予約、登録されたことを検出して、予約時刻の１７：００になると、ホスト装置１８からサーバ装置１３のデータベース１５にＡ支店データを受信する。
【００２３】
また、アプリケーションプログラム１３ａの実行部１３ｂは、自動電源装置１６が遠隔地からの指示で電源をサーバ装置１３に供給すると、サーバ装置１３は起動し、例えば図４で示す情報ファイル１４を読み込み、指定時刻８：００にホスト装置１８からサーバ装置１３はＡ支店売上データを受信する。
また、アプリケーションプログラム１３ａの実行部１３ｂは、図５に示すような情報が情報ファイル１４に予約、登録されると起動して情報を読み込み、情報ファイル１４の情報をホスト装置１８に送出し、一方、自己の業務が予約、登録されているので、指定時刻１７：００にホスト装置１８よりＡ支店売上データを受信する。
【００２４】
ホスト装置１８は、サーバ装置１３の情報ファイル１４に図３または図４に示すような情報が予約、登録されているときは、サーバ装置１３からの依頼により、リモートデータベース２０からＡ支店売上データをサーバ装置１３に転送する。
また、ホスト装置１８は、サーバ装置１３より図５に示すような情報を受信すると、その情報を自己の情報ファイル１９に格納するとともに、その情報をサーバ装置２１，２５にそれぞれ転送する。
【００２５】
サーバ装置２１，２５は、図７に示すように、アプリケーションプログラム２１ａ，２５ａを有し、このアプリケーションプログラム２１ａ，２５ａ内には実行手段としての実行部２１ｂが設けられている。また、サーバ装置２１，２５は受信手段としての受信部２１ｃ，２５ｃを有し、受信部２１ｃ，２５ｃでホスト装置１８からの情報（図５、参照）を受信して、自己の情報ファイル２３，２６にその情報をそれぞれ格納する。
【００２６】
サーバ装置２１，２５のアプリケーションプログラム２１ａ，２５ａの実行部２１ｂ，２５ｂは、受信部２１ｃ，２５ｃでホスト装置１８から情報を受信すると、自動的に起動して、情報ファイル２３，２６を読み込み、指定時刻１７：００にホスト装置１８よりＢ支店売上データ、Ｃ支店売上データをそれぞれ受信する。
【００２７】
次に、動作を説明する。
図８は情報ファイル１４に情報が登録されるとサーバ装置１３が自動的に業務を実行することを示すフローチャートである。
まず、ステップＳ１でサーバ装置１３の情報ファイル１４にはクライアント装置１１により時刻と業務と業務を実行するサーバ装置名よりなる情報が予約、登録される。
【００２８】
例えば、情報ファイル１４には、図３に示すように、クライアント装置１１により時刻１７：００にＡ支店売上データをサーバ装置１３が受信するという情報が予約、登録される。
次に、ステップＳ２でサーバ装置１３は、情報ファイル１４に情報が予約、登録されると、自動的に起動して、ステップＳ３で情報ファイル１４を読み込む。情報ファイル１４の情報を読み込み、時刻１７：００にＡ支店売上データをサーバ装置１３が受信するという情報内容を確認すると、ステップＳ４でサーバ装置１３のアプリケーションプログラム１３ａの実行部１３ｂは、指定時刻１７：００にホスト装置１８からＡ支店売上データを受信し、データベース１５にデータを格納する。
【００２９】
このように、情報ファイル１４に情報が予約、登録されると、自動的に起動し、情報ファイル１４から情報を読み取ることにより、オペレータによるオペレーションなしにデータ転送を実行することができる。その結果、オペレータが不在の夜間、休日でも業務を実行することができ、また人件費の削減を図ることができる。
【００３０】
次に、図９は自動電源装置１６が遠隔地からの指示によりサーバ装置１３を起動してサーバ装置１３が業務を実行することを示すフローチャートである。
まず、ステップＳ１１でサーバ装置１３の情報ファイル１４にはクライアント装置１１により時刻と業務と業務を実行するサーバ装置名よりなる情報が予め予約、登録される。例えば、情報ファイル１４には、図４に示すように、時刻８：００にＡ支店売上データをホスト装置１８からサーバ装置１３が受信するという情報が予約、登録される。ここでは、情報ファイル１４に情報が予約、登録されても、サーバ装置１３は自動的に起動せず、情報ファイル１４の読み込みは行わない。
【００３１】
次に、ステップＳ１２で自動電源装置１６が遠隔地からの指示でサーバ装置１３を起動すると、ステップＳ１３でサーバ装置１３のアプリケーションプログラム１３ａの実行部１３ｂは、情報ファイル１４の読み込みを行う。そして、ステップＳ１４で実行部１３ｂは指定時刻８：００にＡ支店売上データをホスト装置１８から受信する。
【００３２】
このように、自動電源装置１６により、サーバ装置１３の電源をオンすると、サーバ装置１３のアプリケーションプログラム１３ａは自動的に起動され、情報ファイル１４から情報を読み込んでデータ転送を実行する。したがって、オペレータによるオペレーションを行うことなく業務を実行することができ、前述したような効果を得ることができる。
【００３３】
次に、図１０はクライアント装置１１の指示により、サーバ装置１３だけでなくサーバ装置２１，２５も業務を実行することを示すフローチャートである。
まず、ステップＳ２１でサーバ装置１３の情報ファイル１４にはクライアント装置１１により時刻と業務と業務を実行するサーバ装置名よりなる情報が予め予約、登録される。例えば、情報ファイル１４には、図５に示すように、時刻１７：００にＡ支店売上データをサーバ装置１３が受信し、時刻１７：００にＢ支店売上データをサーバ装置２１が受信し、時刻１７：００にＣ支店売上データをサーバ装置２１が受信するという情報が予め予約、登録される。
【００３４】
次に、サーバ装置１３は情報ファイル１４に情報が予約、登録されると、自動的に起動し、ステップＳ２２でこの情報をホスト装置１８に送信する。ホスト装置１８はこの情報をサーバ装置１３より受信すると、情報ファイル１９に情報を格納するとともに、サーバ装置２１，２５に送信する。
次に、ステップＳ２３でサーバ装置２１，２５はホスト装置１８より情報を受信し、ステップＳ２４で情報ファイル２３，２６より情報を読み込む。また、サーバ装置１３もステップＳ２４で情報ファイル１４より情報を読み込む。そして、ステップＳ２５でサーバ装置１３は指定時刻１７：００にＡ支店売上データをホスト装置１８より受信し、また、サーバ装置２１は指定時刻１７：００にＢ支店売上データをホスト装置１８より受信し、また、サーバ装置２５は指定時刻１７：００にＣ支店売上データをホスト装置１８より受信する。
【００３５】
このように、オペレータによるオペレーションを行うことなく、データ転送を自動的に実行することができ、また、複数のサーバ装置１３，２１，２５に対して一括で管理することができ、システム構築、メンテナンスの簡易化を図ることができ、作業効率を向上させることができる。
次に、図１１は本発明の他の実施例を示す全体構成図である。
【００３６】
図１１において、３１はクライアント装置であり、クライアント装置３１には同一の信号幹線３２を介して複数のサーバ装置３３，３４，３５がそれぞれ接続されている。サーバ装置３３は情報ファイル３６とデータベース３７を有しており、同様にサーバ装置３４，３５も情報ファイル３８，３９とデータベース４０，４１を有している。
【００３７】
これらのサーバ装置３３，３４，３５は、信号線４２，４３，４４を介してホスト装置４５が接続されている。ホスト装置４５はリモートデータベース４６を有している。
サーバ装置３３の情報ファイル３６には、時刻とこの時刻に実行する業務とこの業務を実行するサーバ装置名よりなる情報が予め予約、登録されている。情報ファイル３６には、例えば図１２に示すように、時刻１７：００にＡ支店売上データをサーバ装置３３がホスト装置４５に送信し、また、時刻１７：００にＢ支店売上データをサーバ装置３４がホスト装置４５に送信し、さらに時刻１７：００にＣ支店売上データをサーバ装置３５がホスト装置４５に送信するという情報が予め予約、登録されている。
【００３８】
サーバ装置３３内には、図１３に示すように、アプリケーションプログラム３３ａが設けられ、アプリケーションプログラム３３ａ内には実行手段としての実行部３３ｂが設けられている。実行部３３ｂは、情報ファイル３６内にクライアント装置３１から情報が予約、登録されると、自動的に起動して情報ファイル３６を読み込み、指定時刻に業務を実行する。また、サーバ装置３３内には送信手段としての送信部３３ｃが設けられ、送信部３３ｃは情報ファイル３６内に予約、登録された情報を他のサーバ装置３４，３５に送信する。
【００３９】
サーバ装置３４，３５の情報ファイル３８，４０には、サーバ装置３３より送信されてきた情報、例えば図１２に示すような情報が予め予約、登録される。サーバ装置３４，３５は、図１４に示すように、アプリケーションプログラム３４ａ，３５ａが設けられ、アプリケーションプログラム３４ａ，３５ａ内には実行手段としての実行部３４ｂ，３５ｂが設けられている。
【００４０】
実行部３４ｂ，３５ｂはサーバ装置３３より情報を受信すると、情報ファイル３８，４０を読み込み、指定時刻に業務を実行する。また、サーバ装置３４，３５内には受信手段としての受信部３４ｃ，３５ｃが設けられ、受信部３４ｃ，３５ｃはサーバ装置３３より情報を受信して情報ファイル３８，４０に格納する。ホスト装置４５は各サーバ装置３３，３４，３５からデータを受信すると、リモートデータベース４６に受信したデータを格納する。
【００４１】
次に、図１５は動作を説明するフローチャートである。
まず、ステップＳ３１でサーバ装置３３の情報ファイル３６にはクライアント装置３１より時刻とこの時刻に実行する業務とこの業務を実行する複数のサーバ装置名よりなる情報が予め予約、登録される。情報ファイル３６には、例えば図１２に示すように、時刻１７：００にＡ支店売上データをサーバ装置３３がホスト装置４５に送信し、時刻１７：００にＢ支店売上データをサーバ装置３４がホスト装置４５に送信し、時刻１７：００にＣ支店売上データをサーバ装置３５がホスト装置４５に送信するという情報が予め予約、登録される。
【００４２】
次に、ステップＳ３２でサーバ装置３３は予約、登録された情報ファイル３６を読み込み、ステップＳ３３で業務を実行するサーバ装置３３，３４，３５を判別する。情報ファイル３６には業務を実行するサーバ装置としては、サーバ装置３３，３４，３５があるので、ステップＳ３４ではサーバ装置３５は情報ファイル３６の情報をサーバ装置３４に送信し、業務実行をサーバ装置３４に要求する。また、ステップＳ３５ではサーバ装置３３は情報ファイル３６の情報をサーバ装置３５に送信し、業務実行をサーバ装置３５に要求する。
【００４３】
一方、サーバ装置３３は、情報ファイル３６内に自己が実行を行う業務があるので、ステップＳ３６で指定時刻１７：００にＡ支店売上データをホスト装置４５に送信する。
サーバ装置３４はサーバ装置３３から情報を受信すると、受信した情報を情報ファイル３６に格納し、ステップＳ３７で指定時刻１７：００にＢ支店売上データをホスト装置４５に送信する。
【００４４】
また、サーバ装置３５もサーバ装置３３から情報を受信すると、受信した情報を情報ファイル４０に格納し、ステップＳ３８で指定時刻１７：００にＣ支店売上データをホスト装置４５に送信する。
このように、オペレータによるオペレーションを行うことなく、自動的にデータ転送を行うことができる。その結果、オペレータが不在の夜間、休日でも業務を実行することができ、また、人件費を削減することができる。さらに、複数のサーバ装置３３，３４，３５の一括管理により、システム構築、メンテナンスの簡易化を図ることができ、作業効率を向上させることができる。
【００４５】
【発明の効果】
以上説明してきたように、本発明によれば情報ファイル内に業務、時刻、業務実行サーバ装置名からなる情報が予約、登録されると、自動的に情報ファイルを読み込み、業務を実行するようにしたため、オペレータによるオペレーションを行うことなく、自動的に業務を実行することができる。その結果、オペレータが不在の夜間、休日でも業務を実行することができ、人件費を削減することができる。また、自動電源装置により遠隔地からの指示でサーバ装置を起動し、業務を自動的に実行することもできる。さらに、複数のサーバ装置の一括管理により、システム構築、メンテナンスの簡易化を図ることができ、作業効率を向上させることができる。
【図面の簡単な説明】
【図１】本発明の原理説明図
【図２】本発明の一実施例を示す全体構成図
【図３】情報ファイルの一例を示す図
【図４】情報ファイルの他の例を示す図
【図５】情報ファイルのその他の例を示す図
【図６】サーバ装置の内部構成例を示す図
【図７】他のサーバ装置の内部構成例を示す図
【図８】動作を説明するフローチャート（その一）
【図９】動作を説明するフローチャート（その二）
【図１０】動作を説明するフローチャート（その三）
【図１１】本発明の他の実施例を示す全体構成図
【図１２】情報ファイルを示す図
【図１３】サーバ装置の内部構成例を示す図
【図１４】他のサーバ装置の内部構成例を示す図
【図１５】動作を説明するフローチャート
【図１６】従来例を示す図
【図１７】他の従来例を示す図
【符号の説明】
１１，３１：クライアント装置
１２，１７，２２，２６，４２，４３，４４：信号線
１３，２１，２５，３３，３４，３５：サーバ装置
１３ａ，２１ａ，２５ａ：アプリケーションプログラム
１３ｂ，２１ｂ，２５ｂ：実行部（実行手段）
１３ｃ：送信部（送信手段）
１４，１９，２３，３６，３８，４０：情報ファイル
１５，２４，２７，３７，３９，４１：データベース
１６：自動電源装置
１８，４５：ホスト装置
２０，４６：リモートデータベース
２１ｃ，２５ｃ：受信部（受信手段）
２２：信号幹線
【図１】
0004071299.tif 000002
【図２】
0004071299.tif 000003
【図３】
0004071299.tif 000004
【図４】
0004071299.tif 000005
【図５】
0004071299.tif 000006
【図６】
0004071299.tif 000007
【図７】
0004071299.tif 000008
【図８】
0004071299.tif 000009
【図９】
0004071299.tif 000010
【図１０】
0004071299.tif 000011
【図１１】
0004071299.tif 000012
【図１２】
0004071299.tif 000013
【図１３】
0004071299.tif 000014
【図１４】
0004071299.tif 000015
【図１５】
0004071299.tif 000016
【図１６】
0004071299.tif 000017
【図１７】
0004071299.tif 000018